(57)【特許請求の範囲】
【請求項１】
壁若しくは天井に張り付けられたクロスを部分的に張り替えるクロス張り替え工法であって、
前記クロスの張り替える部分を仕切るように、見切り材を取り付ける見切り材取り付け工程と、
前記見切り材に沿って前記クロスを切断し、剥離するクロス剥離工程と、
前記クロスを剥離した部分に、新しいクロスを張り付けるクロス張り付け工程とを有することを特徴とするクロス張り替え工法。
【請求項２】
前記見切り材が、固定ネジを挿通するための固定ネジ挿通孔が形成されたベース部材と、少なくとも前記固定ネジ挿通孔に挿通させた固定ネジを覆うように、前記ベース部材に嵌合するカバー部材とを具備することを特徴とする請求項１に記載のクロス張り替え工法。
【請求項３】
前記見切り材取り付け工程が、
前記見切り材のベース部材を、前記固定ネジ挿通孔に挿通させた固定ネジにより取り付けるベース部材取り付け工程と、
前記見切り材のベース部材に前記カバー部材を嵌合するカバー部材嵌合工程とを有することを特徴とする請求項２に記載のクロス張り替え工法。
【請求項４】
前記カバー部材嵌合工程は、前記クロス張り付け工程の後に行うことを特徴とする請求項３に記載のクロス張り替え工法。
【請求項５】
前記見切り材の前記ベース部材が、前記固定ネジ挿通孔が形成された平面視短冊状の平坦な底部と、該底部の延在方向に対して平行な両縁部に突設された側壁とを具備して構成されていると共に、前記カバー部材が、平面視短冊状の頭部と、該頭部の延在方向に対して平行な両縁部に突設された側壁とを具備して構成され、
前記カバー部材の側壁内面に、前記ベース部材の側壁外面が嵌合して、前記ベース部材と前記カバー部材とが一体化することを特徴とする請求項２から請求項４までのいずれか１項に記載のクロス張り替え工法。
【請求項６】
前記見切り材の前記ベース部材の前記側壁外面に凹部が形成されていると共に、前記カバー部材の前記側壁内面に凸部が形成され、
前記ベース部材の前記側壁に形成された前記凹部に、前記カバー部材の前記側壁に形成された前記凸部が嵌合することを特徴とする請求項５に記載のクロス張り替え工法。
【請求項７】
前記クロスを仕切る部分がコーナー部を有し、該コーナー部にて２本の前記見切り材を連結する場合には、
前記２本の見切り材の端部に嵌合するコーナー部専用の見切り材を取り付ける工程をさらに有することを特徴とする請求項２から請求項６までのいずれか１項に記載のクロス張り替え工法。
【請求項８】
複数の前記見切り材を、同一直線状に連結して延長する場合には、
隣接する２本の前記見切り材の端部に嵌合するジョイント用の見切り材を取り付ける工程をさらに有することを特徴とする請求項２から請求項７までのいずれか１項に記載のクロス張り替え工法。
【請求項９】
前記クロスを仕切る部分に出隅部若しくは入隅部が位置し、前記出隅部若しくは入隅部にて２本の前記見切り材を連結する場合には、
前記２本の見切り材の端部に嵌合し、出隅部若しくは入隅部の形状に沿った形状を有する出隅部若しくは入隅部専用の見切り材を取り付ける工程をさらに有することを特徴とする請求項２から請求項８までのいずれか１項に記載のクロス張り替え工法。
【請求項１０】
前記見切り材の端面が露出する場合には、前記見切り材の端部に嵌合する端部専用の見切り材を取り付ける工程をさらに有することを特徴とする請求項２から請求項９までのいずれか１項に記載のクロス張り替え工法。
【請求項１１】
前記コーナー部専用の見切り材、前記ジョイント用の見切り材、前記出隅部若しくは入隅部専用の見切り材、前記端部専用の見切り材は、
前記見切り材を挿通する側から、
前記見切り材の前記カバー部材の外面に沿った内面形状を有し、前記見切り材の前記カバー部材に嵌合する薄肉部と、該薄肉部と前記見切り材の前記カバー部材とを合わせた形状を有し、前記見切り材の前記ベース部材に嵌合する厚肉部とを順次具備することを特徴とする請求項７から請求項１０までのいずれか１項に記載のクロスの張り替え工法。
【発明の詳細な説明】
【０００１】
【発明の属する技術分野】
本発明は、クロスを部分的に張り替えることを可能にするクロス張り替え工法、及びクロス張り付け工法に関するものである。
【０００２】
【従来の技術】
建築物の壁や天井の室内側最表面に張り付けられるクロスは、エアーコンディショナーや冷蔵庫、照明器具等の家電製品の裏側及びその近傍部分や、人の手等が触れやすい、いわゆる腰下部分が、特に汚れやすいものとなっている。
しかしながら、従来は、クロスが汚れた場合、汚れた部分のみならず、汚れた部分を含むクロス全体を張り替えて補修していたため、クロス張り替えの施工性が著しく悪化すると共に、補修コストが高くなるという問題点があった。
【０００３】
【発明が解決しようとする課題】
そこで、本発明は上記事情に鑑みてなされたものであり、クロスを部分的に張り替えることを可能にする手段を提供し、クロス張り替えの施工性を向上すると共に、補修コストを低減することを目的とする。
【０００４】
【課題を解決するための手段】
本発明者は上記課題を解決するべく検討を行った結果、以下のクロス張り替え工法及びクロス張り付け工法を発明するに到った。
本発明のクロス張り替え工法は、壁若しくは天井に張り付けられたクロスを部分的に張り替えるクロス張り替え工法であって、前記クロスの張り替える部分を仕切るように、見切り材を取り付ける見切り材取り付け工程と、前記見切り材に沿って前記クロスを切断し、剥離するクロス剥離工程と、前記クロスを剥離した部分に、新しいクロスを張り付けるクロス張り付け工程とを有することを特徴とする。
【０００５】
すなわち、本発明のクロス張り替え工法においては、クロスを部分的に張り替えることを可能にするために、見切り材を用いてクロスを仕切り、見切り材により仕切られた部分をそれ以外の部分から分離独立させて、張り替えることを特徴としている。かかる工法によれば、見切り材により仕切られた部分をそれ以外の部分から分離独立させることができるので、張り替えた部分とそれ以外の部分との間で、クロスの模様等にずれが生じても、美観を損ねることがない。したがって、本発明のクロス張り替え工法によれば、何ら支障なく、クロスを部分的に張り替えることを可能にし、クロス張り替えの施工性を著しく向上することができると共に、補修コストを低減することができる。
【０００６】
本発明のクロス張り替え工法において、前記見切り材としては、固定ネジを挿通するための固定ネジ挿通孔が形成されたベース部材と、少なくとも前記固定ネジ挿通孔に挿通させた固定ネジを覆うように、前記ベース部材に嵌合するカバー部材とを具備するものが好ましく、かかる構成の見切り材を用いる場合には、前記見切り材取り付け工程は、前記見切り材のベース部材を、前記固定ネジ挿通孔に挿通させた固定ネジにより取り付けるベース部材取り付け工程と、前記見切り材のベース部材に前記カバー部材を嵌合するカバー部材嵌合工程とにより構成される。
【０００７】
このように、ベース部材とカバー部材とを具備する見切り材を用い、ベース部材を、ベース部材に形成された固定ネジ挿通孔に挿通させた固定ネジにより壁若しくは天井に取り付け、ベース部材にカバー部材を嵌合することにより、見切り材の取り付けを簡易に行うことができると共に、ベース部材の固定ネジ挿通孔に挿通させた固定ネジをカバー部材により覆うことができるため、固定ネジが視認されることがなく、美観上好ましい。
【０００８】
また、ベース部材とカバー部材とを具備する見切り材を用いる場合には、前記カバー部材嵌合工程を、前記クロス張り付け工程の後に行うことが好ましく、かかる構成とした場合には、張り替えたクロスの端部が見切り材のカバー部材に覆われて視認されないので、美観上好ましい。
【０００９】
ベース部材とカバー部材とを具備し、本発明のクロス張り替え工法に用いて好適な見切り材としては、前記ベース部材が、前記固定ネジ挿通孔が形成された平面視短冊状の平坦な底部と、該底部の延在方向に対して平行な両縁部に突設された側壁とを具備して構成されていると共に、前記カバー部材が、平面視短冊状の頭部と、該頭部の延在方向に対して平行な両縁部に突設された側壁とを具備して構成され、前記カバー部材の側壁内面に、前記ベース部材の側壁外面が嵌合して、前記ベース部材と前記カバー部材とが一体化するように構成されたものを例示することができる。
【００１０】
また、かかる構成の見切り材においては、前記ベース部材の前記側壁外面に凹部が形成されていると共に、前記カバー部材の前記側壁内面に凸部が形成され、前記ベース部材の前記側壁に形成された前記凹部に、前記カバー部材の前記側壁に形成された前記凸部が嵌合するように構成されたものが好ましい。かかる構成とした場合には、カバー部材の側壁に形成された凸部がベース部材の凹部に嵌合して、ベース部材とカバー部材とが一体化するため、カバー部材がベース部材から自然に離脱する恐れがなく、好適である。
【００１１】
また、前記クロスを仕切る部分がコーナー部を有し、該コーナー部にて２本の前記見切り材を連結する場合には、前記２本の見切り材の端部に嵌合するコーナー部専用の見切り材を取り付ける工程をさらに有することが好ましい。このように、クロスを仕切る部分がコーナー部を有する場合には、コーナー部にて連結する２本の見切り材の端部に嵌合するコーナー部専用の見切り材を取り付けることにより、連結する２本の見切り材の接合部分が室内側に露出しないため、美観上好ましい。
【００１２】
また、複数の前記見切り材を同一直線状に連結して延長する場合には、隣接する２本の前記見切り材の端部に嵌合するジョイント用の見切り材を取り付ける工程をさらに有することが好ましい。このように、複数の見切り材を同一直線状に連結する場合には、隣接する２本の見切り材の端部に嵌合するジョイント用の見切り材を取り付けることにより、連結する２本の見切り材の接合部分が室内側に露出しないため、美観上好ましい。
【００１３】
また、前記クロスを仕切る部分に出隅部若しくは入隅部が位置し、前記出隅部若しくは入隅部にて２本の前記見切り材を連結する場合には、前記２本の見切り材の端部に嵌合し、出隅部若しくは入隅部の形状に沿った形状を有する出隅部若しくは入隅部専用の見切り材を取り付ける工程をさらに有することが好ましい。このように、クロスを仕切る部分に出隅部若しくは入隅部が位置する場合には、出隅部若しくは入隅部にて連結する２本の見切り材の端部に嵌合する出隅部若しくは入隅部専用の見切り材を取り付けることにより、連結する２本の見切り材の接合部分が室内側に露出しないため、美観上好ましい。
【００１４】
また、前記見切り材の端面が露出する場合には、前記見切り材の端部に嵌合する端部専用の見切り材を取り付ける工程をさらに有することが好ましい。このように、見切り材の端面が露出する場合には、見切り材の端部に嵌合する端部専用の見切り材を取り付けることにより、見切り材の端面が室内側に露出しないため、美観上好ましい。
【００１５】
前記コーナー部専用の見切り材、前記ジョイント用の見切り材、前記出隅部若しくは入隅部専用の見切り材、前記端部専用の見切り材としては、前記見切り材を挿通する側から、前記見切り材の前記カバー部材の外面に沿った内面形状を有し、前記見切り材の前記カバー部材に嵌合する薄肉部と、該薄肉部と前記見切り材の前記カバー部材とを合わせた形状を有し、前記見切り材の前記ベース部材に嵌合する厚肉部とを順次具備するものが好ましい。
【００１６】
以上の本発明のクロス張り替え工法は、既築物件のクロスを補修する場合に好適であるが、本発明者は、さらに、新築物件に対して好適な、以下のクロス張り付け工法を発明した。
本発明のクロス張り付け工法は、壁若しくは天井にクロスを張り付けるクロス張り付け工法であって、壁若しくは天井を部分的に仕切るように、見切り材を取り付ける見切り材取り付け工程と、壁若しくは天井にクロスを張り付けるクロス張り付け工程とを有することを特徴とする。
【００１７】
すなわち、本発明のクロス張り付け工法においては、クロスを部分的に張り替えることを可能にするために、見切り材を用いて、壁若しくは天井を仕切ることを特徴としている。かかる工法によれば、見切り材により仕切られた部分をそれ以外の部分から分離独立させることができるので、見切り材により仕切られた部分のクロスのみを張り替え、張り替えた部分とそれ以外の部分との間で、クロスの模様等にずれが生じても、美観を損ねることがない。したがって、本発明のクロス張り付け工法によれば、何ら支障なく、クロスを部分的に張り替えることを可能にし、クロス張り替えの施工性を著しく向上することができるとともに、補修コストを低減することができる。
【００１８】
本発明のクロス張り付け工法において、前記見切り材としては、固定ネジを挿通するための固定ネジ挿通孔が形成されたベース部材と、少なくとも前記固定ネジ挿通孔に挿通させた固定ネジを覆うように、前記ベース部材に嵌合するカバー部材とを具備するものが好ましく、かかる構成の見切り材を用いる場合には、前記見切り材取り付け工程は、前記見切り材のベース部材を、前記固定ネジ挿通孔に挿通させた固定ネジにより取り付けるベース部材取り付け工程と、前記見切り材のベース部材に前記カバー部材を嵌合するカバー部材嵌合工程とにより構成される。
【００１９】
このように、上記本発明のクロス張り替え工法と同様に、ベース部材とカバー部材とを具備する見切り材を用い、ベース部材を、ベース部材に形成された固定ネジ挿通孔に挿通させた固定ネジにより壁若しくは天井に取り付け、ベース部材にカバー部材を嵌合することにより、見切り材の取り付けを簡易に行うことができると共に、ベース部材の固定ネジ挿通孔に挿通させた固定ネジをカバー部材により覆うことができるため、固定ネジが視認されることがなく、美観上好ましい。
【００２０】
【発明の実施の形態】
次に、本発明に係る実施形態について詳述する。
［クロス張り替え工法］
図１、図２に基づいて、本発明に係る実施形態のクロス張り替え工法について説明する。図１は、本実施形態のクロス張り替え工法に用いて好適な見切り材の一構成例を示す図であって、図１（ａ）は、後述するベース部材にカバー部材を嵌合する前の状態を示す概略斜視図、図１（ｂ）は、ベース部材にカバー部材を嵌合した後の状態を、図１（ａ）に示すＡ−Ａ’線に沿って切断した時の概略断面図である。また、図２は、本実施形態のクロス張り替え工法の各工程を説明するための図であって、図２（ａ）は、壁を室内側から見た時の概略平面図、図２（ｂ）〜（ｅ）は、壁を図２（ａ）に示すＢ−Ｂ’線に沿って切断した時の概略断面図である。
【００２１】
はじめに、図１に基づいて、本実施形態のクロス張り替え工法に用いて好適な見切り材の一構成例について説明する。
図１（ａ）、（ｂ）に示すように、本実施形態のクロス張り替え工法に用いて好適な見切り材１０は、ベース部材２０とベース部材２０に嵌合するカバー部材３０とから概略構成されており、これら部材はいずれもポリプロピレン系樹脂等の樹脂により成形されたものである。
【００２２】
ここで、ベース部材２０は、平面視短冊状の平坦な底部２１と、底部２１の延在方向に対して平行な両縁部に図示上方に向けて突設された側壁２２とから構成されており、底部２１の略中央部には、固定ネジを挿通するための固定ネジ挿通孔２１Ａが、ベース部材２０の延在方向に所定のピッチで複数形成されている。なお、底部２１の幅は、少なくとも固定ネジの最大幅よりも広くなるように設定されていれば良く、固定ネジ挿通孔２１Ａのピッチは、ベース部材２０を、固定ネジ挿通孔２１Ａに挿通させた固定ネジにより、壁若しくは天井に完全固定することができるように設定されていれば良い。また、側壁２２は、底部２１側から、傾斜方向の異なる第１の斜壁２３と第２の斜壁２４とを順次具備してなり、全体として、断面視略く字状に折れ曲がって形成されている。また、第２の斜壁２４は平坦であるのに対し、第１の斜壁２３は湾曲しており、第１の斜壁２３外面には凹部２３Ａが形成されている。
【００２３】
これに対して、カバー部材３０は、平面視短冊状の平坦な頭部３１と、頭部３１の延在方向に対して平行な両縁部に図示下方に向けて突設された側壁３２とから構成されており、側壁３２は、頭部３１側から、ベース部材２０の第２の斜壁２４の傾斜方向と略同一方向に傾斜した斜壁３３と、頭部３１に対して略垂直方向に延在し、内面に凸部３４Ａを有する鉛直壁３４とを順次具備してなる。
【００２４】
そして、図１（ｂ）に示すように、ベース部材２０にカバー部材３０を嵌合すると、カバー部材３０の斜壁３３内面に沿って、ベース部材２０の第２の斜壁２４外面が嵌合され、ベース部材２０の凹部２３Ａに、カバー部材３０の凸部３４Ａが嵌合され、ベース部材２０とカバー部材３０とが一体化されるようになっている。
【００２５】
次に、図２に基づいて、以上のように構成された見切り材１０を用いた、本実施形態のクロス張り替え工法について説明する。ここでは、壁に取り付けた照明器具の裏側及びその近傍部分のクロスを部分的に張り替える場合を例として説明する。また、張り替えを行う部分が矩形状である場合について説明する。
【００２６】
はじめに、図２（ａ）に示すように、壁全面に張り付けられたクロス５０の張り替えを行う部分の周囲に、図１に示した見切り材１０のベース部材２０をその底部２１側が壁側となるように取り付けて、クロス５０を仕切る。具体的には、図２（ｂ）に示すように、ベース部材２０の底部２１を、両面テープ等（図示略）を介してクロス５０に仮止めした後、底部２１に形成された固定ネジ挿通孔２１Ａに挿通させた固定ネジ７１により、ベース部材２０をクロス５０及びクロスの下地材５１に固定して取り付ける。
【００２７】
なお、この工程において、張り替えを行う部分が矩形状であるので、平面視短冊状のベース部材２０を四方に取り付けるが、隣接するベース部材２０が互いに重なり合わないように、張り替えを行う部分を隙間無く仕切る必要がある。また、後の工程において、ベース部材２０にカバー部材３０を嵌合して見切り材１０の取り付けが完了するため、ベース部材２０の配置によって、見切り材１０の配置が決定されるが、見切り材１０の端面が室内側に露出しないように、ベース部材２０を配置することが美観上好ましい。以上の条件を満たすベース部材２０の配置としては、図示するものが好適である。すなわち、ベース部材２０の端部の一部を切断除去し、平面視台形状としたものを四方に取り付けて連結することが好適である。
【００２８】
次に、図２（ｃ）に示すように、ベース部材２０に沿ってクロス５０を切断し、クロス５０のベース部材２０に囲まれた部分を剥離する。次に、図２（ｄ）に示すように、クロス５０を剥離した部分に、新しいクロス６０を張り付け、最後に、図２（ｅ）に示すように、ベース部材２０に、ベース部材２０と同様に、あらかじめ端部の一部を切断除去し、平面視台形状としたカバー部材３０を嵌合して、見切り材１０の取り付けを完了することにより、クロス５０の張り替えが完了する。
【００２９】
本実施形態のクロス張り替え工法においては、図１に示した構造のベース部材２０とカバー部材３０とからなる見切り材１０を用いてクロス５０を仕切り、見切り材１０により仕切られた部分をそれ以外の部分から分離独立させて、張り替えることを特徴としている。
【００３０】
かかる工法によれば、見切り材１０によりクロス５０を仕切り、見切り材１０により仕切られた部分をそれ以外の部分から分離独立させることができるので、張り替えた部分のクロス６０とそれ以外の部分のクロス５０との間で、模様等にずれが生じても、美観を損ねることがない。また、ベース部材２０を、固定ネジ挿通孔２１Ａに挿通させた固定ネジ７１により壁に取り付けるが、ベース部材２０にはカバー部材３０を嵌合するため、固定ネジ７１が視認されることがなく、美観を損ねることがない。したがって、本実施形態のクロス張り替え工法によれば、何ら支障なく、クロス５０を部分的に張り替えることを可能にし、クロス張り替えの施工性を著しく向上することができるとともに、補修コストを低減することができる。
【００３１】
なお、本実施形態のクロス張り替え工法において用いる見切り材１０としては、例示したものに限定されるものではなく、固定ネジを挿通するための固定ネジ挿通孔が形成されたベース部材と、少なくとも固定ネジ挿通孔に挿通させた固定ネジを覆うように、ベース部材に嵌合するカバー部材とを具備するものであれば、いかなる構造の見切り材を用いても良い。但し、本実施形態で説明した構造の見切り材１０を用いる場合には、カバー部材３０の側壁３２に形成された凸部３４Ａがベース部材２０の凹部２３Ａに嵌合して、ベース部材２０とカバー部材３０とが一体化するため、カバー部材３０がベース部材２０から自然に離脱する恐れがなく、好適である。
【００３２】
また、本発明は、ベース部材とカバー部材とを具備する見切り材を用いる場合に限定されるものではなく、例えば、両面テープ等を用いて見切り材をクロスに強固に取り付けることができる場合には、固定ネジ挿通孔や固定ネジが不要になるので、ベース部材とカバー部材とを一体化した見切り材を用いるなど、クロスを部分的に仕切ることができれば、いかなる構造の見切り材を用いても良い。
【００３３】
また、本実施形態のクロス張り替え工法においては、ベース部材２０にカバー部材３０を嵌合する前にクロス５０を張り替える場合についてのみ説明したが、本発明はこれに限定されるものではなく、ベース部材２０を取り付けた直後にカバー部材３０を嵌合し、その後、クロス５０を張り替えても良い。また、ベース部材２０を仮止めした状態で、クロス５０を張り替え、最後に、ベース部材２０を固定ネジ７１により固定し、カバー部材３０を嵌合しても良い。このように、少なくともベース部材２０を取り付けた状態でクロス５０の張り替えを行えば良い。
但し、本実施形態のように、クロス５０を張り替えた後に、ベース部材２０にカバー部材３０を嵌合することが好ましく、この場合には、図２（ｅ）に示すように、張り替えたクロス６０の端部が見切り材１０のカバー部材３０に覆われて視認されないので、美観上好ましい。
【００３４】
また、本実施形態のクロス張り替え工法においては、見切り材１０の端部の一部を切断除去し、平面視台形状としたものを四方に取り付ける場合についてのみ説明したが、本発明はこれに限定されるものではない。見切り材１０の端部を切断処理して、隣接する見切り材１０を美観良く連結することが難しい場合には、図３にコーナー部を拡大して示すように、コーナー部にて連結する２本の見切り材１０の端部に嵌合するコーナー部専用の見切り材８０を取り付けることが好ましい。なお、図３は、見切り材１０にコーナー部専用の見切り材８０を嵌合した状態を、見切り材１０側（ベース部材２０側）から見た時の概略平面図である。また、図３において、見切り材１０のベース部材２０に形成された固定ネジ挿通孔２１Ａについては図示を省略している。
【００３５】
また、見切り材１０にコーナー部専用の見切り材８０を嵌合した状態を、図３に示すＣ−Ｃ’線、Ｄ−Ｄ’線に沿って切断した時の概略断面図を、各々図４（ａ）、（ｂ）に示し、これら図３、図４に基づいて、コーナー部専用の見切り材８０の構造について詳述する。
【００３６】
図３に示すように、コーナー部専用の見切り材８０は、コーナー部の形状に沿って平面視Ｌ字状に構成されている。また、図４（ａ）、（ｂ）に示すように、コーナー部専用の見切り材８０の断面構造は、見切り材１０のカバー部材３０に類似しており、頭部８１と側壁８２とから構成されている。これら頭部８１及び側壁８２はＣ−Ｃ’断面と、Ｄ−Ｄ’断面では、異なる厚みで形成されており、コーナー部専用の見切り材８０は、見切り材１０を挿通する側から、頭部８１及び側壁８２の厚みが薄い薄肉部１と、頭部８１及び側壁８２の厚みが厚い厚肉部２とを順次具備して構成されている。
【００３７】
より詳細には、図４（ａ）に示すように、薄肉部１（Ｃ−Ｃ’断面）においては、頭部８１及び側壁８２は、カバー部材３０の外面に沿った形状で薄く形成され、カバー部材３０外面に嵌合するように構成されている。これに対して、図４（ｂ）に示すように、厚肉部２（Ｄ−Ｄ’断面）の頭部８１及び側壁８２は、薄肉部１の頭部８１及び側壁８２にカバー部材３０を合わせた形状で厚く形成されており、側壁８２内面にはカバー部材３０の凸部３４Ａと同一形状を有する凸部８２Ａが形成され、ベース部材２０に嵌合するように構成されている。
【００３８】
そして、図３、図４に示すように、コーナー部専用の見切り材８０の薄肉部１については、ベース部材２０とカバー部材３０の双方を挿通させ、厚肉部２及びそれよりも内側についてはベース部材２０のみを挿通させ、ベース部材２０の凹部２３Ａにコーナー部専用の見切り材８０の凸部８２Ａを嵌合することにより、コーナー部専用の見切り材８０を見切り材１０に嵌合することができる構成になっている。
【００３９】
以上のように構成されたコーナー部専用の見切り材８０を、コーナー部にて連結する２本の見切り材１０の端部に嵌合することにより、連結する２本の見切り材１０の接合部分が室内側に露出しないため、コーナー部にて連結する見切り材１０の接合処理を簡略化することができる。
なお、コーナー部専用の見切り材８０の構造は図示するものに限定されるものではなく、適宜設計することが可能である。また、コーナー部専用の見切り材８０は、見切り材１０のカバー部材３０を取り付けた後であれば、いつ取り付けても良い。
【００４０】
また、本実施形態では、張り替える部分の四方に見切り材１０を取り付けてクロス５０を仕切る場合についてのみ説明したが、本発明はこれに限定されるものではない。以下、図５（ａ）〜（ｃ）に基づいて、見切り材１０によるクロス５０の仕切り方のその他の例について説明する。なお、図５（ａ）〜（ｃ）は、張り替え作業を行う前のクロス５０に見切り材１０を取り付けた状態の壁を室内側から見た時の概略平面図である。
【００４１】
壁の天井近くに取り付けられるエアーコンディショナーの裏側及びその近傍部分のクロス５０を張り替える場合には、図５（ａ）に示すように、張り替える部分の天井側はクロス５０の最端部であるため、天井側を除きコ字状に見切り材１０を取り付けて仕切れば良い。また、床上に載置され、最高部が天井近くに位置する冷蔵庫の裏側及びその近傍部分のクロス５０を張り替える場合には、図５（ｂ）に示すように、床側及び天井側に見切り材１０を取り付ける必要がなく、床面に対して垂直方向に２本見切り材１０を取り付けて仕切れば良い。また、壁の腰下部分のクロス５０を張り替える場合には、図５（ｃ）に示すように、床面に対して水平方向に１本見切り材１０を取り付けて仕切れば良い。このように、張り替える部分の位置や面積等に応じて、適宜見切り材１０の配置を設計することができる。
【００４２】
また、図５（ｂ）、（ｃ）に示すように見切り材１０を取り付ける場合等においては、長い見切り材１０が必要になるが、複数の見切り材１０を同一直線状に連結して延長し、１本の見切り材を構成しても良い。このように、複数の見切り材１０を同一直線状に連結する場合には、隣接する２本の見切り材１０の接合部分が露出しないように、隣接する２本の見切り材１０の端部に嵌合するジョイント用の見切り材を取り付けることが美観上好ましい。
【００４３】
また、壁の腰下部分のクロス５０を張り替える場合には、平坦な壁のみならず、図６に示すように、折り曲がって配設され、出隅部や入隅部を有する壁にも適用可能であるが、この場合には、出隅部若しくは入隅部に沿った形状を有し、出隅部若しくは入隅部にて連結する２本の見切り材１０の端部に嵌合する出隅部専用の見切り材若しくは入隅部専用の見切り材を取り付けることが美観上好ましい。また、見切り材１０の端面が露出する部分については、見切り材１０の端部に嵌合する端部専用の見切り材を取り付けることが美観上好ましい。
【００４４】
ジョイント用の見切り材や、出隅部専用の見切り材、入隅部専用の見切り材、端部専用の見切り材は、いずれもコーナー部専用の見切り材８０の構造を応用して、適宜設計することが可能である。
以下、図７〜図９に基づいて、ジョイント用の見切り材、出隅部専用の見切り材、入隅部専用の見切り材、端部専用の見切り材の構成例について説明する。なお、図７は、同一直線状に連結した２本の見切り材１０の端部にジョイント用の見切り材８３を嵌合した状態を、見切り材１０側（ベース部材２０側）から見た時の概略平面図である。また、図８（ａ）は、出隅部５２に出隅部専用の見切り材８４を取り付けた状態を天井側から見た時の概略平面図、図８（ｂ）は、入隅部５３に入隅部専用の見切り材８５を取り付けた状態を天井側から見た時の概略平面図である。また、図９は、見切り材１０の端部に端部専用の見切り材８６を嵌合した状態を、見切り材１０側（ベース部材２０側）から見た時の概略平面図である。
【００４５】
但し、図７、図９においては、図３と同様、見切り材１０のベース部材２０に形成された固定ネジ挿通孔２１Ａについては図示を省略している。また、図８（ａ）、（ｂ）においては、見切り材１０の図示を省略している。また、図７〜図９において、コーナー部専用の見切り材８０と同じ構成要素については同じ参照符号を付すと共に、コーナー部専用の見切り材８０のＣ−Ｃ’断面、Ｄ−Ｄ’断面と同じ断面形状を有する部分には、Ｃ−Ｃ’線、Ｄ−Ｄ’線を記している。
【００４６】
図７に示すように、ジョイント用の見切り材８３は、同一直線状に連結した２本の見切り材１０の端部に嵌合する平面視短冊状の部材であり、コーナー部専用の見切り材８０と同様に、見切り材１０を挿通する側から薄肉部１（Ｃ−Ｃ’断面参照）、厚肉部２（Ｄ−Ｄ’断面参照）を順次具備して構成されている。
【００４７】
また、図８に示すように、出隅部専用の見切り材８４、入隅部専用の見切り材８５は、各々出隅部５２、入隅部５３の形状の沿った形状を有し、出隅部５２、入隅部５３にて連結する２本の見切り材１０の端部に嵌合する部材であり、コーナー部専用の見切り材８０と同様に、見切り材１０を挿通する側から薄肉部１（Ｃ−Ｃ’断面参照）、厚肉部２（Ｄ−Ｄ’断面参照）を順次具備して構成されている。
【００４８】
また、図９に示すように、端部専用の見切り材８６は、見切り材１０の端部に嵌合する部材であり、コーナー部専用の見切り材８０と同様に、見切り材１０を挿通する側から薄肉部１（Ｃ−Ｃ’断面参照）、厚肉部２（Ｄ−Ｄ’断面参照）を順次具備して構成されている。
なお、ジョイント用の見切り材８３、出隅部専用の見切り材８４、入隅部専用の見切り材８５、端部専用の見切り材８６は、コーナー部専用の見切り材８０と同様、見切り材１０のカバー部材３０を取り付けた後であれば、いつ取り付けても良い。
【００４９】
以上、本実施形態においては、壁に張り付けられたクロス５０を張り替える場合についてのみ説明したが、本発明はこれに限定されるものではなく、天井に張り付けられたクロスを張り替える場合にも全く同様に適用することができる。
また、上記実施形態においては、既築物件のクロスを補修する場合に好適なクロス張り替え工法について説明したが、以下、新築物件に対して好適な本発明に係る実施形態のクロス張り付け工法について説明する。
【００５０】
［クロス張り付け工法］
図１０に基づいて、本発明に係る実施形態のクロス張り付け工法について説明する。なお、図１０は、本実施形態のクロス張り付け工法の各工程を説明するための図であって、図１０（ａ）は、壁を室内側から見た時の概略平面図、図１０（ｂ）〜（ｄ）は、壁を図１０（ａ）に示すＥ−Ｅ’線に沿って切断した時の概略断面図である。
【００５１】
また、本実施形態のクロス張り付け工法においても、壁を仕切る見切り材を用いるが、上記実施形態のクロス張り替え工法において説明した見切り材をそのまま用いることができる。したがって、図１に示した見切り材１０を用いる場合を例として説明する。また、同じ構成要素には同じ参照符号を付して説明は省略する。また、照明器具の裏側及びその近傍部分のクロスを部分的に張り替えることを可能にするクロス張り付け工法について説明する。
【００５２】
図１０（ａ）、（ｂ）に示すように、まだクロスが張り付けられておらず、クロスの下地材５１が露出した状態の壁に、クロスを部分的に張り替えたい部分の周囲に、図１に示した見切り材１０のベース部材２０を、その底部２１側が壁側となるように取り付けて、壁を仕切る。ベース部材２０の壁への取り付け方及びベース部材２０の配置は、上記実施形態のクロス張り替え工法と同様であるので、説明は省略する。
【００５３】
次に、図１０（ｃ）に示すように、壁のベース部材２０が取り付けられた部分を除く領域にクロス９０を張り付ける。すなわち、ベース部材２０により仕切られた矩形状の領域と、ベース部材２０より外側の領域の双方にクロス９０を張り付ける。最後に、図１０（ｄ）に示すように、ベース部材２０にカバー部材３０を嵌合して、見切り材１０の取り付けを完了することにより、クロス９０の張り付けが完了する。
【００５４】
本実施形態のクロス張り付け工法においては、クロスを部分的に張り替えることを可能にするために、図１に示した構造の見切り材１０を用いて壁を仕切ることを特徴としている。かかる工法によれば、見切り材１０によりクロス９０を仕切り、見切り材１０により仕切られた部分をそれ以外の部分から分離独立させることができるので、見切り材１０により仕切られた部分のクロス９０のみを張り替え、張り替えた部分とそれ以外の部分との間で、クロスの模様等にずれが生じても、美観を損ねることがない。また、上記実施形態のクロス張り替え工法と同様に、ベース部材２０を、固定ネジ挿通孔２１Ａに挿通させた固定ネジ７１により壁に取り付けるが、ベース部材２０にはカバー部材３０を嵌合するため、固定ネジ７１が視認されることがなく、美観を損ねることがない。
【００５５】
したがって、本実施形態のクロス張り付け工法によれば、何ら支障なく、クロス９０を部分的に張り替えることを可能にし、クロス張り替えの施工性を著しく向上することができるとともに、補修コストを低減することができる。さらに、本実施形態では、ベース部材２０を取り付けてからクロス９０を張り付けるので、クロス９０を張り替える際に、クロス９０を切断することなく、容易に張り替えることができ、好適である。
【００５６】
なお、本実施形態のクロス張り付け工法においては、ベース部材２０にカバー部材３０を嵌合する前にクロス９０を張り付ける場合についてのみ説明したが、本発明はこれに限定されるものではなく、ベース部材２０を取り付けた直後にカバー部材３０を嵌合し、その後、クロス９０を張り付けても良い。また、ベース部材２０を仮止めした状態で、クロス９０を張り付け、最後に、ベース部材２０を固定ネジ７１により固定し、カバー部材３０を嵌合しても良い。また、壁全面にクロス９０を張り付けた後、ベース部材２０を取り付けても良い。但し、この場合には、クロス９０を張り替える際に、クロス９０を見切り材１０に沿って切断し、張り替える必要がある。
【００５７】
また、見切り材１０の構造や、その配置については、上記実施形態のクロス張り替え工法と同様に、適宜設計することが可能である。また、上記実施形態のクロス張り替え工法と同様に、ジョイント用の見切り材、出隅部専用の見切り材、入隅部専用の見切り材、端部専用の見切り材を適宜併用することが、美観上好ましい。
また、本実施形態においては、壁にクロス９０を張り付ける場合についてのみ説明したが、本発明はこれに限定されるものではなく、天井にクロスを張り付ける場合にも全く同様に適用することができる。
【００５８】
【発明の効果】
以上詳述したように、本発明のクロス張り替え工法及びクロス張り付け工法によれば、見切り材を用いて壁若しくは天井を仕切り、クロスを部分的に張り替えたい部分をそれ以外の部分から分離独立させることができるので、何ら支障なく、クロスを部分的に張り替えることを可能にする。
【図面の簡単な説明】
【図１】  図１（ａ）、（ｂ）は、各々、本発明に係る実施形態のクロス張り替え工法に用いて好適な見切り材の構造を示す概略斜視図、概略断面図である。
【図２】  図２（ａ）〜（ｅ）は、本発明に係る実施形態のクロス張り替え工法の各工程を説明するための図である。
【図３】  図３は、本発明に係る実施形態のクロス張り替え工法に用いて好適なコーナー部専用の見切り材の構造を示す概略平面図である。
【図４】  図４（ａ）、（ｂ）は、本発明に係る実施形態のクロス張り替え工法に用いて好適なコーナー部専用の見切り材の構造を示す概略断面図である。
【図５】  図５（ａ）〜（ｃ）は、見切り材によるクロスの仕切り方のその他の例を説明するための概略平面図である。
【図６】  図６は、見切り材によるクロスの仕切り方のその他の例を説明するための概略斜視図である。
【図７】  図７は、本発明に係る実施形態のクロス張り替え工法に用いて好適なジョイント用の見切り材の構造を示す概略平面図である。
【図８】  図８（ａ）、（ｂ）は、各々、本発明に係る実施形態のクロス張り替え工法に用いて好適な出隅部専用の見切り材、入隅部専用の見切り材の構造を示す概略平面図である。
【図９】  図９は、本発明に係る実施形態のクロス張り替え工法に用いて好適な端部専用の見切り材の構造を示す概略平面図である。
【図１０】  図１０（ａ）〜（ｄ）は、本発明に係る実施形態のクロス張り付け工法の各工程を説明するための図である。
【符号の説明】
１０          見切り材
２０          ベース部材
２１Ａ        固定ネジ挿通孔
３０          カバー部材
５０、９０    クロス
７１          固定ネジ
５２          出隅部
５３          入隅部
８０          コーナー部専用の見切り材
８３          ジョイント用の見切り材
８４          出隅部専用の見切り材
８５          入隅部専用の見切り材
８６          端部専用の見切り材
１            薄肉部
２            厚肉部
【図１】
0003798267.tif 000002
【図２】
0003798267.tif 000003
【図３】
0003798267.tif 000004
【図４】
0003798267.tif 000005
【図５】
0003798267.tif 000006
【図６】
0003798267.tif 000007
【図７】
0003798267.tif 000008
【図８】
0003798267.tif 000009
【図９】
0003798267.tif 000010
【図１０】
0003798267.tif 000011